(57)【要約】【課題】外部で測定した湿度と同等の湿度の値を表示することが可能になる加湿装置を提供する。【解決手段】加湿装置は、内部で検出した湿度の値を表示部２１に表示する。表示された湿度の値は、外部の湿度計とは異なることがある。加湿装置は、使用者からの補正指示を操作部２２で受け付けて、表示する湿度の値を補正する。使用者が外部の湿度計で測定した湿度と湿度表示を合わせるように補正指示を入力した場合、加湿装置は、外部の湿度と同等の湿度の値を表示する。また、加湿装置は、補正された湿度の値に基づいて、湿度を調整する。同様に、加湿装置は、温度の値を表示し、温度表示を補正することもできる。【選択図】図１
2014031966.tif 000002
【特許請求の範囲】
【請求項１】
空気を外部から吸入し、加湿した上で外部へ放出する加湿手段と、湿度を検出する湿度センサと、該湿度センサが検出した湿度の値を表示する湿度表示部とを備える加湿装置において、
湿度の値の補正を指示する補正指示を受け付ける受付部と、
該受付部が受け付けた補正指示に従って、前記湿度センサが検出した湿度の値を補正する補正手段と、
該補正手段が補正した湿度の値を前記湿度表示部に表示させる手段と
を備えることを特徴とする加湿装置。
【請求項２】
前記受付部は、所定範囲内の数値を含む補正指示を受け付けるように構成してあり、
前記補正手段は、前記受付部が受け付けた補正指示に含まれる数値を、前記湿度センサが検出した湿度の値に対して加算又は減算することによって、湿度の値を補正するように構成してあること
を特徴とする請求項１に記載の加湿装置。
【請求項３】
湿度の目標値を記憶してある手段を更に備え、
前記補正手段は、前記受付部が受け付けた補正指示に従って、前記目標値を補正する手段を有し、
補正された湿度の値が前記目標値を補正した値に近づくように加湿を行うべく、前記加湿手段を制御する手段を更に備えること
を特徴とする請求項１又は２に記載の加湿装置。
【請求項４】
湿度の下限値を記憶してある手段を更に備え、
前記補正手段は、前記受付部が受け付けた補正指示に従って、前記下限値を補正する手段を有し、
補正された湿度の値が前記下限値を補正した値以下であるか否かを判定する手段と、
補正された湿度の値が前記下限値を補正した値以下である場合に、警報音を発する手段とを更に備えること
を特徴とする請求項１から３までの何れか一つに記載の加湿装置。
【請求項５】
温度を検出する温度センサと、
該温度センサが検出した温度の値を表示する温度表示部と、
温度の値の補正を指示する補正指示を受け付ける手段と、
該手段が受け付けた補正指示に従って、前記温度センサが検出した温度の値を補正する手段と、
該手段が補正した温度の値を前記温度表示部に表示させる手段と
を更に備えることを特徴とする請求項１から４までの何れか一つに記載の加湿装置。
【発明の詳細な説明】
【技術分野】
【０００１】
本発明は、湿度センサを備え、湿度を表示する加湿装置に関する。
【背景技術】
【０００２】
近年では、感染症予防の観点、又は美容・健康の観点から、適度な加湿の重要性が認識されており、室内の空気に適度な湿度を与える加湿装置が利用されている。加湿装置には、湿度センサを備え、湿度センサの検出結果に基づいて空気中の湿度を調整するものがある。また、加湿装置には、湿度センサが検出した湿度を数値で表示し、使用者が湿度を確認できるようにしたものもある。特許文献１には、湿度センサを備えた加湿装置の例が開示されている。
【先行技術文献】
【特許文献】
【０００３】
【特許文献１】特許第３４２２３１７号公報
【発明の概要】
【発明が解決しようとする課題】
【０００４】
加湿装置が表示する湿度は加湿装置の内部又は近傍での湿度であり、加湿装置から離れた使用者の付近の湿度ではない。使用者が加湿装置とは別に湿度計を所有している場合、湿度計は使用者の付近の湿度を測定するので、湿度計が測定した湿度の値と加湿装置が表示した湿度の値とが異なる場合がある。二つの湿度の値が異なる場合は、使用者が混乱するという問題がある。
【０００５】
本発明は、斯かる事情に鑑みてなされたものであって、その目的とするところは、外部で測定された湿度と同等の湿度の値を表示することが可能になる加湿装置を提供することにある。
【課題を解決するための手段】
【０００６】
本発明に係る加湿装置は、空気を外部から吸入し、加湿した上で外部へ放出する加湿手段と、湿度を検出する湿度センサと、該湿度センサが検出した湿度の値を表示する湿度表示部とを備える加湿装置において、湿度の値の補正を指示する補正指示を受け付ける受付部と、該受付部が受け付けた補正指示に従って、前記湿度センサが検出した湿度の値を補正する補正手段と、該補正手段が補正した湿度の値を前記湿度表示部に表示させる手段とを備えることを特徴とする。
【０００７】
本発明においては、湿度の値を表示する加湿装置は、使用者から湿度の値の補正指示を受け付け、補正した湿度の値を表示する。使用者が装置外の湿度と湿度表示を合わせるように補正指示を入力した場合に、加湿装置は、装置外の湿度と同等の湿度の値を表示する。
【０００８】
本発明に係る加湿装置は、前記受付部は、所定範囲内の数値を含む補正指示を受け付けるように構成してあり、前記補正手段は、前記受付部が受け付けた補正指示に含まれる数値を、前記湿度センサが検出した湿度の値に対して加算又は減算することによって、湿度の値を補正するように構成してあることを特徴とする。
【０００９】
本発明においては、加湿装置は、所定範囲内の数値で湿度の値の補正指示を受け付け、受け付けた数値を湿度の検出値に対して加算又は減算することで、湿度の値の補正を行う。数値の入力及び加減算により、湿度の値の補正が行われる。
【００１０】
本発明に係る加湿装置は、湿度の目標値を記憶してある手段を更に備え、前記補正手段は、前記受付部が受け付けた補正指示に従って、前記目標値を補正する手段を有し、補正された湿度の値が前記目標値を補正した値に近づくように加湿を行うべく、前記加湿手段を制御する手段を更に備えることを特徴とする。
【００１１】
本発明においては、加湿装置は、補正後の湿度の値に基づいて、湿度を調整するための制御を行う。これにより、加湿装置は、外部の湿度を調整する動作を行う。
【００１２】
本発明に係る加湿装置は、湿度の下限値を記憶してある手段を更に備え、前記補正手段は、前記受付部が受け付けた補正指示に従って、前記下限値を補正する手段を有し、補正された湿度の値が前記下限値を補正した値以下であるか否かを判定する手段と、補正された湿度の値が前記下限値を補正した値以下である場合に、警報音を発する手段とを更に備えることを特徴とする。
【００１３】
本発明においては、加湿装置は、補正後の湿度の値に基づいて、低湿度時に警報を発する。これにより、加湿装置は、外部の湿度が低湿度になった場合に低湿度を警報することができる。
【００１４】
本発明に係る加湿装置は、温度を検出する温度センサと、該温度センサが検出した温度の値を表示する温度表示部と、温度の値の補正を指示する補正指示を受け付ける手段と、該手段が受け付けた補正指示に従って、前記温度センサが検出した温度の値を補正する手段と、該手段が補正した温度の値を前記温度表示部に表示させる手段とを更に備えることを特徴とする。
【００１５】
本発明においては、加湿装置は、温度の値の表示が可能であり、使用者から温度の値の補正指示を受け付け、補正した温度の値を表示する。使用者が装置外の温度と温度表示を合わせるように補正指示を入力した場合に、加湿装置は、装置外の温度と同等の温度の値を表示する。
【発明の効果】
【００１６】
本発明にあっては、加湿装置は、使用者の操作に応じて装置外の湿度と同等の湿度の値を表示することができる。このため、使用者は、混乱を生じることなく現在の湿度を把握することが可能となる等、本発明は優れた効果を奏する。
【図面の簡単な説明】
【００１７】
【図１】加湿装置の斜視図である。
【図２】加湿装置を背面側から見た分解斜視図である。
【図３】加湿装置の概略構成を示す側断面図である。
【図４】表示部を示す模式図である。
【図５】操作部を示す模式図である。
【図６】実施の形態１に係る加湿装置の電気的構成を示すブロック図である。
【図７】数値表示部での表示例を示す模式図である。
【図８】数値表示部での表示例を示す模式図である。
【図９】加湿装置が湿度又は温度の値の補正の指示を受け付ける処理の手順を示すフローチャートである。
【図１０】加湿装置が湿度を調整する処理の手順を示すフローチャートである。
【図１１】加湿装置が低湿度を観測する処理の手順を示すフローチャートである。
【図１２】実施の形態２に係る加湿装置の電気的構成を示すブロック図である。
【図１３】リモートコントローラの例を示す模式図である。
【発明を実施するための形態】
【００１８】
（実施の形態１）
以下本発明をその実施の形態を示す図面に基づき具体的に説明する。
図１は、加湿装置の斜視図であり、図２は、加湿装置を背面側から見た分解斜視図であり、図３は、加湿装置の概略構成を示す側断面図である。図３は、正面を左、背面を右として示してあり、図１は、正面側（図３の左側）から見た斜視図である。以下の説明では、正面側を前とし、背面側を後とする。加湿装置は、縦に長い矩形箱形のハウジング１を備えており、ハウジング１の上面には、空気の吐出口１６が形成されている。またハウジング１の上面の吐出口１６よりも正面側の部分には、使用者の操作を受け付けるための操作部２２が設けられており、ハウジング１の正面には、加湿装置の動作状態を表示する表示部２１が設けられている。また、図２に示すように、加湿装置の背面側には、後述する湿度センサ及び温度センサを格納した格納部２３が設けられている。
【００１９】
図３に示すように、加湿装置は、送風機６、加湿フィルタユニット３及び水槽４を備えている。ハウジング１の内部は、隔壁１１により後側の吸込室１２と前側の吐出室１３とに分割されている。吸込室１２は、ハウジング１の後面パネル１４に開設された多数の吸込口１５、１５…を介して外部に連通している。吐出室１３は、吐出口１６を介して外部に連通している。吸込室１２と吐出室１３とは、隔壁１１の下部に設けた開口を経て相互に連通されている。
【００２０】
後面パネル１４の前側には、脱臭フィルタ１７及び集塵フィルタ１８が積層配置してある。脱臭フィルタ１７は、例えば、不織布に活性炭を分散保持させてなり、通気中の臭い成分を吸着除去する作用をなす。集塵フィルタ１８は、例えば、公知のＨＥＰＡ(High Efficiency Particulate Air )フィルタであり、通気中に含まれる微細な塵埃を捕集除去する作用をなす。脱臭フィルタ１７及び集塵フィルタ１８は、合成樹脂製の矩形の枠体に各別に一体化され、後面パネル１４の前側に嵌め込まれている。
【００２１】
送風機６は、羽根車６０と、羽根車６０を駆動するモータ６１とを備えている。モータ６１の駆動により羽根車６０が回転し、送風機６は、回転軸方向から空気を吸引し、遠心方向へ空気を送り出す。図３中に白抜矢印で示すように、外部から後面パネル１４の吸込口１５を経て吸込室１２へ空気が流入し、流入した空気は、送風機６に吸引され、上向きに方向を変えて吐出室１３に導出され、吐出口１６から外部へ送り出される。このように、ハウジング１内部の吸込室１２及び吐出室１３は、送風機６の動作に応じて空気が流れる送風路を構成している。流入する空気は、脱臭フィルタ１７の通過により臭い成分を除去され、集塵フィルタ１８の通過により塵埃を除去される。加湿装置は、脱臭フィルタ１７及び集塵フィルタ１８によって空気清浄機として機能する。
【００２２】
加湿フィルタユニット３及び水槽４は、送風路を流れる空気を加湿すべく、集塵フィルタ１８と送風機６との間に配置されている。加湿フィルタユニット３は、中空の円盤形をなす保持枠３０の内部に加湿フィルタ３１を収納保持して構成されている。加湿フィルタ３１は、レーヨン等の吸水性を有すると共に通気が可能な材料製のシートを蛇腹状に折り重ねて平板状に形成されており、保持枠３０の内部に収納されている。保持枠３０の内部に収納された加湿フィルタ３１の形状は、円盤の一部を欠いた形状になっている。また、保持枠３０の外周面には、幅方向の中央部に全周に亘って歯が形成された適宜幅のリングギヤ部３２が一体に設けられている。
【００２３】
水槽４は、矩形の深皿形をなしており、ハウジング１の底板上に載置されている。水槽４の上面は開口しており、加湿フィルタユニット３は、水槽４の上側に配置されている。加湿フィルタユニット３の下部は、水槽４の上側から進入して水槽４の内側に位置している。水槽４の上に加湿フィルタユニット３が配置された状態では、加湿フィルタ３１はほぼ垂直になっている。水槽４には、タンク４１から水が供給され、水位を一定に保つようにして水が貯留されている。
【００２４】
加湿装置は、加湿フィルタユニット３を回転駆動するための駆動ユニット５を備えており、駆動ユニット５は加湿フィルタユニット３の上側に配置されている。駆動ユニット５は、駆動モータ５３と、駆動モータ５３の回転軸に連結された伝動歯車５２と、伝動歯車５２に噛合した駆動歯車５１とを備えている。加湿フィルタユニット３のリングギヤ部３２は、駆動歯車５１に噛合されている。駆動モータ５３が駆動することにより、伝動歯車５２を介して駆動歯車５１が回転し、駆動歯車５１の回転がリングギヤ部３２を介して保持枠３０に伝わり、加湿フィルタユニット３は、図３に示す位置を保ちながら図３に示す縦方向に回転する。
【００２５】
回転する加湿フィルタユニット３の下部は水槽４内で浸水し、加湿フィルタ３１は、回転しながら周縁部分が断続的に浸水する。水槽４内の水は、加湿フィルタ３１に吸い上げられ、加湿フィルタユニット３の回転によって持ちあげられる。加湿フィルタ３１の周縁部分から中心部分に向かって吸水が行われ、加湿フィルタ３１は水を含む。送風機６の動作によって吸込室１２を流れてきた空気は、水を含んだ加湿フィルタ３１を通過する。空気が加湿フィルタ３１を通過する際に、加湿フィルタ３１に含まれる水が気化し、空気は気化した水分を含んだ空気となる。水分を含んだ空気は、送風機６に吸引され、吐出室１３内を流れ、吐出口１６から加湿装置外へ放出される。このようにして、加湿装置は外部の空気を加湿する。加湿を行わない場合は、加湿装置は、円盤の一部を欠いた形状になっている加湿フィルタ３１が浸水しない位置で加湿フィルタユニット３を停止させる。この状態では、加湿フィルタ３１が吸水を行わないので、加湿が停止される。空気清浄をも行わない場合は、加湿装置は、送風機６を停止させる。
【００２６】
図４は、表示部２１を示す模式図である。表示部２１は、数値が表示される数値表示部２１１と、加湿が行われている時に点灯する加湿ランプ２１２とを含んでいる。数値表示部２１１は、後述するように加湿装置内で検出された湿度及び温度の何れか一方の値を表示する。図５は、操作部２２を示す模式図である。操作部２２は、加湿実行の指示を受け付ける加湿ボタン２２１と、空気清浄実行の指示を受け付ける空気清浄ボタン２２２と、停止ボタン２２５とを含んでいる。加湿装置は、加湿ボタン２２１が押下された場合に加湿を開始し、空気清浄ボタン２２２が押下された場合に空気清浄を開始し、停止ボタン２２５が押下された場合に加湿又は空気清浄の動作を停止する。また、操作部２２は、表示切り替えボタン２２４を備える。表示切り替えボタン２２４が押下される都度、数値表示部２１１に表示する数値が湿度の値と温度の値とで交互に切り替えられる。また、操作部２２は、数値表示部２１１に表示される湿度又は温度の値の補正を指示する補正指示を受け付ける補正ボタン２２３と、低湿度の観測の指示を受け付ける観測ボタン２２６とを含んでいる。
【００２７】
図６は、実施の形態１に係る加湿装置の電気的構成を示すブロック図である。加湿装置は、装置内の各部の動作を制御する制御部７１を備えている。制御部７１は演算を行うプロセッサを含んでなる。制御部７１には、演算に伴う情報を記憶するＲＡＭ（Random Access Memory）７２、演算に必要なプログラム及び設定データを記憶するＲＯＭ（Read Only Memory）７３、並びにフラッシュメモリ等の不揮発性メモリ７４が接続されている。制御部７１には、表示部２１、操作部２２、駆動ユニット５及び送風機６が接続されている。また、制御部７１には、内部の湿度を検出する湿度センサ７５と、内部の温度を検出する温度センサ７６と、加湿フィルタユニット３の回転位置を検出する位置センサ７８とが接続されている。湿度センサ７５及び温度センサ７６は、格納部２３内に配置されている。格納部２３の内部は、吸込室１２に連通しており、湿度センサ７５及び温度センサ７６は、吸込室１２内の空気の湿度及び温度を検出する。位置センサ７８は、加湿フィルタユニット３の近傍に設けられている。例えば、加湿フィルタユニット３の所定の箇所に磁石が埋め込まれており、位置センサ７８は、磁気の検出及び回転角度の計測により、加湿フィルタユニット３の回転位置を検出する。更に、制御部７１には、警報音を発声するブザー等の発声部７７が接続されている。なお、湿度センサ７５及び温度センサ７６は、外気に触れる位置に配置されていてもよい。
【００２８】
図７及び図８は、数値表示部２１１での表示例を示す模式図である。図７には、数値表示部２１１で湿度の値を表示した例を示し、図８には、数値表示部２１１で温度の値を表示した例を示す。制御部７１は、表示切り替えボタン２２４が押下される都度、図７に示す如く数値表示部２１１が湿度の値を表示した状態と、図８に示す如く数値表示部２１１が温度の値を表示した状態とを交互に切り替える。制御部７１は、湿度の値を表示する場合は、湿度センサ７５が検出した湿度の値を数値表示部２１１に表示させ、温度の値を表示する場合は、温度センサ７６が検出した温度の値を数値表示部２１１に表示させる。このように、数値表示部２１１は、湿度表示部及び温度表示部に対応する。なお、加湿装置は、湿度表示部と温度表示部とを個別に備えた形態であってもよい。
【００２９】
加湿装置は、湿度又は温度の値の補正の指示を使用者から受け付けることができる。図９は、加湿装置が湿度又は温度の値の補正の指示を受け付ける処理の手順を示すフローチャートである。数値表示部２１１が湿度の値を表示している状態で、制御部７１は、使用者によって補正ボタン２２３が押下されることを待ちうける（Ｓ１１）。補正ボタン２２３の押下が無い場合は（Ｓ１１：ＮＯ）、制御部７１は、押下の待ち受けを続行する。補正ボタン２２３が押下された場合は（Ｓ１１：ＹＥＳ）、制御部７１は、補正ボタン２２３の押下により、湿度の値の変更量を示す補正値を受け付ける（Ｓ１２）。補正値は、マイナスの値を含む所定範囲内の数値である。例えば、補正値は、−９〜＋９の範囲内の整数であり、制御部７１は、補正ボタン２２３が連続して押下される都度、−９〜＋９の範囲内の数値を順に切り替えながら数値表示部２１１に表示し、補正ボタン２２３の押下が停止したときに数値表示部２１１に表示している数値を補正値として受け付ける。
【００３０】
制御部７１は、次に、受け付けた補正値を不揮発性メモリ７４に記憶する（Ｓ１３）。制御部７１は、次に、湿度センサ７５が検出した湿度の値に補正値を加算することによって、数値表示部２１１での湿度の値の表示を補正し（Ｓ１４）、処理を終了する。例えば、数値表示部２１１に湿度の値が６０％と表示されている状態で−５の補正値を受け付けた場合は、制御部７１は、数値表示部２１１に湿度の値を５５％と表示する。また、制御部７１は、数値表示部２１１が温度の値を表示している状態で、補正ボタン２２３が押下された場合に、同様の処理を行って、温度の補正値を受け付けて不揮発性メモリ７４に記憶し、数値表示部２１１での温度の値の表示を補正する。
【００３１】
加湿装置は、補正された湿度及び温度の値を用いて湿度を調整する処理を行う。図１０は、加湿装置が湿度を調整する処理の手順を示すフローチャートである。ＲＯＭ７３は、予め、温度範囲と適切な湿度の目標値とを関連付けて記憶している。また、不揮発性メモリ７４は、湿度及び温度の補正値を記憶している。制御部７１は、まず、湿度の調整に利用するための温度に対応する湿度の目標値を設定する（Ｓ２１）。ステップＳ２１では、制御部７１は、温度センサ７６で検出した温度に補正値を加算して温度の値を補正し、補正後の温度の値に関連付けられた湿度の目標値をＲＯＭ７３から読み出し、読み出した目標値に湿度の補正値を加算して湿度の目標値を補正し、補正後の目標値を、湿度の調整に利用するための湿度の目標値に設定する。制御部７１は、次に、湿度センサ７５で検出した湿度に補正値を加算して湿度の値を補正し、補正後の湿度の値が設定した湿度の目標値以下であるか否かを判定する（Ｓ２２）。補正後の湿度の値が目標値以下である場合は（Ｓ２２：ＹＥＳ）、制御部７１は、加湿を実行する（Ｓ２３）。具体的には、制御部７１は、送風機６を動作させて空気流を生成し、駆動ユニット５を動作させて加湿フィルタユニット３を回転させる。制御部７１は、ステップＳ２３で、湿度の値と目標値との差に応じて送風機６の回転数を制御してもよい。例えば、制御部７１は、湿度の値と目標値との差が大きいほど送風機６の回転数を多くして加湿の速度を上げる処理を行ってもよい。ステップＳ２３の後、制御部７１は、処理をステップＳ２１へ戻す。
【００３２】
ステップＳ２２で補正後の湿度の値が目標値よりも大きい場合は（Ｓ２２：ＮＯ）、制御部７１は、加湿を停止する（Ｓ２４）。具体的には、制御部７１は、位置センサ７８が検出した加湿フィルタユニット３の回転位置に基づき、駆動ユニット５を制御して、加湿フィルタ３１が浸水しない位置で加湿フィルタユニット３を停止させる。ステップＳ２４が終了した後は、制御部７１は処理を終了する。制御部７１は、加湿ボタン２２１が押下されて加湿の実行が指示されている状態では、ステップＳ２１〜Ｓ２４の処理を随時繰り返す。なお、不揮発性メモリ７４が湿度又は温度の補正値を記憶していない場合は、制御部７１は、補正しない湿度又は温度の値に基づいてステップＳ２１〜Ｓ２４の処理を実行する。また、制御部７１は、ＲＯＭ７３に記憶してある温度に無関係な湿度の目標値に応じて湿度を調整する処理を行う形態であってもよい。
【００３３】
また、加湿装置は、観測ボタン２２６が押下された状態で、低湿度を観測する処理を行う。図１１は、加湿装置が低湿度を観測する処理の手順を示すフローチャートである。ＲＯＭ７３は、予め、温度範囲と特定の湿度の下限値とを関連付けて記憶している。また、不揮発性メモリ７４は、湿度及び温度の補正値を記憶している。制御部７１は、まず、低湿度を観測するために必要な現在の温度に対応する湿度の下限値を設定する（Ｓ３１）。ステップＳ３１では、制御部７１は、温度センサ７６で検出した温度の値を補正し、補正後の温度の値に関連付けられた湿度の下限値をＲＯＭ７３から読み出し、読み出した下限値を補正して、低湿度の観測に必要な湿度の下限値を設定する。制御部７１は、次に、湿度センサ７５で検出した湿度の値を補正し、補正後の湿度の値が設定した湿度の下限値以下であるか否かを判定する（Ｓ３２）。補正後の湿度の値が下限値よりも大きい場合は（Ｓ３２：ＮＯ）、制御部７１は、処理をステップＳ３１へ戻す。補正後の湿度の値が下限値以下である場合は（Ｓ３２：ＹＥＳ）、制御部７１は、発声部７７に、低湿度であることを示す警報音を発声させ（Ｓ３３）、処理を終了する。なお、不揮発性メモリ７４が湿度又は温度の補正値を記憶していない場合は、制御部７１は、補正しない湿度又は温度の値に基づいてステップＳ３１〜Ｓ３３の処理を実行する。ステップＳ３１〜Ｓ３３の処理は、例えば、加湿が停止されている状態で実行される。また、制御部７１は、ＲＯＭ７３に記憶してある温度に無関係な湿度の下限値を利用して低湿度を観測する処理を行う形態であってもよい。
【００３４】
以上詳述した如く、本実施の形態においては、加湿装置は、湿度センサ７５で検出した湿度の値を数値表示部２１１で表示することが可能であり、使用者からの補正指示を操作部２２で受け付けて、数値表示部２１１で表示する湿度の値を補正する。使用者が加湿装置とは別の湿度計で測定した湿度と湿度表示を合わせるように補正指示を入力した場合、加湿装置は、外部の湿度と同等の湿度の値を数値表示部２１１で表示する。補正指示として、マイナスの値を含む所定範囲の数値である補正値が入力され、湿度の検出値に補正値を加算することにより、容易に補正が行われる。これ以降、加湿装置は、内部の湿度では無く、加湿装置からある程度離れた外部の湿度とほぼ同等の湿度の値を表示する。このため、使用者は、加湿装置とは別の湿度計で測定した湿度と加湿装置が表示する湿度との違いに混乱することが無くなる。また、使用者は、加湿装置の湿度表示を見るだけで、自己の周りの空気の湿度を把握することができる。
【００３５】
また、加湿装置は、補正後の湿度の値に基づいて、湿度を調整するための制御を行う。これにより、加湿装置は、外部の湿度を調整する動作を行い、使用者の周りの空気の湿度が概ね所定の湿度になるように湿度が調整される。例えば、加湿装置が配置された室内で使用者が頻繁に滞在するような加湿装置から多少離れた箇所の湿度を、加湿装置によって調整することも可能となる。また、加湿装置は、補正後の湿度の値に基づいて、低湿度時に警報を発する。これにより、加湿装置は、加湿を行っていない場合等に、使用者の周りの空気の湿度が著しく低くなった場合に警報を発し、使用者に加湿を行うことを促すことができる。また、加湿装置は、温度センサ７６で検出した温度の値を数値表示部２１１で表示することが可能であり、使用者からの補正指示を受け付けて表示温度の値を補正する。使用者が加湿装置とは別の温度計で測定した温度と温度表示を合わせるように補正指示を入力した場合、加湿装置は、外部の温度と同等の温度の値を表示する。使用者は、混乱を生じることなく、加湿装置の温度表示を見るだけで、自己の周りの空気の温度を把握することができる。
【００３６】
なお、本実施の形態においては、マイナスの値を含む補正値を加算することで湿度又は温度の値を補正する形態を示したが、加湿装置は、加算又は減算の指示と補正値とを受け付け、湿度又は温度の値に対して補正値を加算又は減算することにより湿度又は温度の値を補正する形態であってもよい。また、本実施の形態においては、気化式の加湿装置を示したが、加湿装置は、蒸気式等の気化式以外の方法で加湿を行う形態であってもよい。また、加湿装置は、温度の値を表示する機能を有していない形態であってもよい。
【００３７】
（実施の形態２）
実施の形態２においては、リモートコントローラを用いて加湿装置を制御することができる形態を示す。図１２は、実施の形態２に係る加湿装置の電気的構成を示すブロック図である。加湿装置は、電波又は赤外線等を用いた無線通信によりリモートコントローラとの間で信号を送受信する送受信部２４を備えている。加湿装置のその他の電気的構成は実施の形態１と同様である。
【００３８】
図１３は、リモートコントローラ８の例を示す模式図である。リモートコントローラ８は、加湿及び空気清浄の開始を指示する開始ボタン８１を備えている。また、リモートコントローラ８は、無線通信により加湿装置との間で信号を送受信する機能を備えている。開始ボタン８１が押下された場合、リモートコントローラ８は、加湿の開始を指示する信号を加湿装置へ送信し、加湿装置は、信号を送受信部２４で受信し、空気清浄を伴った加湿を開始する。また、リモートコントローラ８は、操作部２２の補正ボタン２２３、表示切り替えボタン２２４及び停止ボタン２２５と同等の、補正ボタン８３、表示切り替えボタン８４及び停止ボタン８２を備えている。また、リモートコントローラ８は、表示部２１の数値表示部２１１と同等の数値表示部８５を備えている。停止ボタン８２が押下された場合、リモートコントローラ８は、加湿及び空気清浄の停止を指示する信号を加湿装置へ送信し、加湿装置は、信号を送受信部２４で受信し、加湿及び空気清浄の動作を停止する。
【００３９】
表示切り替えボタン８４が押下された場合、リモートコントローラ８は、湿度又は温度の値を要求する信号を加湿装置へ送信し、加湿装置は、信号を送受信部２４で受信する。制御部７１は、湿度センサ７５で検出した湿度の値又は温度センサ７６で検出した温度の値を示す信号を送受信部２４にリモートコントローラ８へ送信させる。リモートコントローラ８は、信号を受信し、信号が示す湿度又は温度の値を数値表示部８５に表示する。表示切り替えボタン８４が押下される都度、信号が送受信され、リモートコントローラ８は、数値表示部８５に表示する数値を湿度の値と温度の値とで交互に切り替える。
【００４０】
補正ボタン８３が押下された場合、加湿装置及びリモートコントローラ８は、信号を互いに送受信しながら、ステップＳ１１〜Ｓ１４と同様の処理を実行する。この結果、数値表示部８５が表示する湿度又は温度の値が補正される。これにより、使用者は、加湿装置から離れた箇所に備えられた湿度計又は温度計に表示される値を確認しながら加湿装置及びリモートコントローラ８に表示される湿度又は温度の値を調節することができる。このため、使用者は、容易に、湿度計又は温度計に表示される値と同等の湿度又は温度の値を加湿装置に表示させることが可能となる。
【００４１】
なお、リモートコントローラ８は、湿度又は温度の値の加算を指示する加算ボタンと、減算を指示する減算ボタンとを備えた形態であってもよい。また、リモートコントローラ８は、数値表示部８５を備えていない形態であってもよい。この形態では、使用者は、リモートコントローラ８を使用して、数値表示部２１１に表示された湿度又は温度の値を補正することができる。また、リモートコントローラ８は、開始ボタン８１では無く、操作部２２の加湿ボタン２２１及び空気清浄ボタン２２２と同等の加湿ボタン及び空気清浄ボタンを備えた形態であってもよい。この形態では、加湿装置は、実施の形態１と同様に、加湿を行わずに空気清浄を行うことができ、停止ボタン８２が押下された場合は、そのときに実行している加湿又は空気清浄の動作を停止する。また、リモートコントローラ８は、観測ボタン２２６と同等の操作ボタンを備えた形態であってもよい。また、加湿装置は、操作部２２を備えておらず、使用者はリモートコントローラ８のみを使用して加湿装置の操作を行う形態であってもよい。
【００４２】
また、リモートコントローラ８は、湿度センサを備え、湿度センサが検出した湿度の値を示す信号を自動で随時又は一定時間毎に加湿装置へ送信し、加湿装置は、湿度の値を示す信号を送受信部２４で受信することによって補正指示を受け付ける形態であってもよい。この形態では、加湿装置は、湿度センサ７５が検出した湿度の値を、受信した信号が示す湿度の値に合わせるように補正を行い、補正後の湿度の値を数値表示部２１１に表示し、補正された湿度の値に基づいて湿度を調整する。これにより、使用者が意識することなく、使用者が頻繁に滞在する箇所の付近の湿度の値が加湿装置に表示されるようになる。
【符号の説明】
【００４３】
２１  表示部
２１１  数値表示部
２２  操作部
２２３  補正ボタン
２２４  表示切り替えボタン
２３  格納部
２４  送受信部
３  加湿フィルタユニット
３１  加湿フィルタ
４  水槽
５  駆動ユニット
６  送風機
７１  制御部
７３  ＲＯＭ
７４  不揮発性メモリ
７５  湿度センサ
７６  温度センサ
７７  発声部
８  リモートコントローラ
８１  開始ボタン
８２  停止ボタン
８３  補正ボタン
８４  表示切り替えボタン
８５  数値表示部
【図１】
2014031966.tif 000003
【図２】
2014031966.tif 000004
【図３】
2014031966.tif 000005
【図４】
2014031966.tif 000006
【図５】
2014031966.tif 000007
【図６】
2014031966.tif 000008
【図７】
2014031966.tif 000009
【図８】
2014031966.tif 000010
【図９】
2014031966.tif 000011
【図１０】
2014031966.tif 000012
【図１１】
2014031966.tif 000013
【図１２】
2014031966.tif 000014
【図１３】
2014031966.tif 000015